(57)【特許請求の範囲】
【請求項１】
吸盤（Ｓ）と、防水性保持部材（Ｈ）とを備え、
前記吸盤（Ｓ）は、基端部分（１）と吸着部分（２）とが一体に形成され、前記基端部分（１）には、器具（Ｌ；Ｆ１）を支持する支持片（１３）を一体に設けた支持部材（１０）が設けられ、
また、前記吸着部分（２）内の凹曲状吸着面（３）の中央背部には、永久磁石（Ｍ）が設けられ、この永久磁石（Ｍ）の磁力は、吸着部分（２）の壁を通して凹曲状吸着面（３）に及ぶようにされており、
前記吸盤（Ｓ）は水槽（Ｖ）の側壁（Ｖｗ）外面に吸着保持され、永久磁石（Ｍ）は、水槽（Ｖ）内に設けられる前記防水性保持部材（Ｈ）内の磁性部材（８）に、水槽（Ｖ）の側壁（Ｖｗ）を挟んで吸着結合されることを特徴とする、器具の水槽への固定装置。
【請求項２】
前記磁性部材（８）は永久磁石であることを特徴とする、前記請求項１記載の器具の水槽への固定装置。
【請求項３】
前記防水性保持部材（Ｈ）は、合成樹脂などの非磁性材により構成されて、内部に空気室（ａ）を有し、水中に浮くように構成されていることを特徴とする、前記請求項１、または２記載の器具の水槽への固定装置。
【請求項４】
前記吸盤（Ｓ）の吸着部分（２）の背面の外周縁には、吸着解除用の突起（４）が一体に突設されていることを特徴とする、前記請求項１，２または３記載の器具の水槽への固定装置。
【請求項５】
前記器具（Ｌ）は、水槽（Ｖ）の上方に配設される照明器具であることを特徴とする、前記請求項１，２，３または４記載の器具の水槽への固定装置。
【請求項６】
前記器具（Ｆ１）は、水槽（Ｖ）の上方に配設されて、水槽（Ｖ）内を冷却するための冷却ファンであることを特徴とする、前記請求項１，２，３または４記載の器具の水槽への固定装置。
【発明の詳細な説明】
【技術分野】
【０００１】
本発明は、水槽、主として海水魚、熱帯魚、金魚などの観賞魚用水槽への飼育用関連器具の固定装置に関する。
【背景技術】
【０００２】
一般に、観賞魚を水槽内で飼育する場合に、水槽には、種々の器具、たとえば、照明器具、浄水器、冷却ファン、給排水具、掃除具などが着脱可能に固定される。
【０００３】
ところで、これらの器具を水槽に固定支持するのに、その器具を水槽の側壁の任意の位置に、しかもその側壁を傷つけずに着脱自在に固定できることから、従来より吸盤が広く用いられている（特許文献１，２参照）。
【特許文献１】特開平８−２７５６９６号公報
【特許文献２】特開平７−２１３８２５号公報
【発明の開示】
【発明が解決しようとする課題】
【０００４】
ところが、吸盤は負圧を利用して水槽の側壁に吸着されるものであるため、吸着部分のエア漏れにより長期にわたり所期の固定状態を保つのが難しく、特に、器具の重量が大きい場合には、それが保持できなくなるという問題がある。
【０００５】
本発明はかかる実情に鑑みてなされたものであり、吸盤を用いて器具を、水槽の側壁に堅固に固定支持できるようにした、新規な器具の水槽への固定装置を提供することを目的とする。
【課題を解決するための手段】
【０００６】
上記目的を達成するために、請求項１の発明は、吸盤と、防水性保持部材とを備え、
前記吸盤は、基端部分と吸着部分とが一体に形成され、前記基端部分には、器具を支持する支持片を一体に設けた支持部材が設けられ、
また、前記吸着部分内の凹曲状吸着面の中央背部には、永久磁石が設けられ、この永久磁石の磁力は、吸着部分の壁を通して凹曲状吸着面に及ぶようにされており、
前記吸盤は水槽の側壁外面に吸着保持され、永久磁石は、水槽内に設けられる前記防水性保持部材内の磁性部材に、水槽の側壁を挟んで吸着結合されることを特徴としている。
【０００７】
また、上記目的を達成するため、請求項２の発明は、前記請求項１のものにおいて、前記磁性部材は永久磁石であることを特徴としている。
【０００８】
また、上記目的を達成するために、請求項３の発明は、前記請求項１または２のものにおいて、前記防水性保持部材は、合成樹脂などの非磁性材により構成されて、内部に空気室を有し、水中に浮くように構成されていることを特徴としている。
【０００９】
さらに、上記目的を達成するために、請求項４の発明は、前記請求項１，２または３のものにおいて、前記吸盤の吸着部分の背面の外周縁には、吸着解除用の突起が一体に突設されていることを特徴としている。
【００１０】
さらにまた、上記目的を達成するために、請求項５の発明は、前記請求項１，２，３または４のものにおいて、前記器具は、水槽の上方に配設される照明器具であることを特徴としている。
【００１１】
さらにまた、上記目的を達成するために、請求項６の発明は、前記請求項１，２，３または４のものにおいて、前記器具は、水槽の上方に配設されて、水槽内を冷却するための冷却ファンであることを特徴としている。
【発明の効果】
【００１２】
請求項各項の発明によれば、吸盤の吸着力と、永久磁石の磁力との協働により、水槽の側壁の任意の箇所に、器具を堅固に固定することができ、長期の使用によって器具が擦れ動いたり、脱落したりする心配がない。また、水槽の側壁を傷付けたり、汚損したりすることがない。さらに全体として外観上の体裁がよい。
【００１３】
特に、請求項２の発明によれば、前記磁性部材は永久磁石であることにより、吸盤の永久磁石による結合力を一層高めることができる。
【００１４】
特に、請求項３の発明によれば、前記防水性保持部材は、合成樹脂などの非磁性材により形成されるので、水槽の側壁を傷付けることがなく、また、水中に浮くように構成されるので、水槽内で取り扱い易い。
【００１５】
特に、請求項４の発明によれば、吸盤の吸着部分の背面の外端縁には、吸着解除用の突起が一体に突設されていることから吸盤の側壁からの分離操作が容易である。
【発明を実施するための最良の形態】
【００１６】
本発明の実施の形態を、添付図面に例示した本発明の実施例に基づいて以下に具体的に  説明する。
【００１７】
まず、図１〜５を参照して、本発明の第１実施例について説明する。
【００１８】
図１〜５は本発明の第１実施例を示すものであり、図１は、本発明器具の水槽への固定装置の斜視図、図２は、図１の２−２線に沿う断面図、図３は、図２の３矢視拡大図、図４は、図２の４矢視仮想線囲い部分の拡大図、図５は、固定装置を分離した状態の図４と同じ図である。
【００１９】
本発明にかかる器具の水槽への固定装置は、吸盤Ｓと、防水性保持具Ｈとを備えている。
【００２０】
前記吸盤Ｓは、ゴム材、合成樹脂材などの弾性体により構成され、円筒状の基端部分１と、截頭円錐状の吸着部分２とを一体に形成してなり、その吸着部分２の中央背部の凹所６には、永久磁石Ｍが着脱可能に嵌着されている。この永久磁石Ｍは、コイン状に形成されていて、その磁力は吸着部分２の壁を通して凹曲状の吸着面３に及ぶようにされている。吸盤Ｓの吸着部分２の背面外周縁には、吸着解除用の突起４が一体に突設されており、この突起４を摘んで吸着部分の外方に引っ張れば、吸盤Ｓの吸着が解除される。
【００２１】
一方、防水性保持具Ｈは、ゴム材、合成樹脂などの非磁性体よりなり、一対の保持半体７，７を密閉状に一体接合して偏平状に形成されており、その内部に密閉状の空気室ａが形成され、その空気室ａ内に磁性部材８が収容されている。この磁性部材８も永久磁石Ｍと同じくコイン状に形成されている。そして、この防水性保持具Ｈは、水中に浮くことができ、水中内での取り扱いが容易であり、特に小さい防水性保持具Ｈが、水槽Ｖ内に敷設される砂利中の埋入するなどして取り扱うのに手間取ることがない。
【００２２】
なお、前記磁性部材８として鉄材などの磁性部材、あるいは他の永久磁石が用いられる。
【００２３】
吸盤Ｓの基端部分１には、ゴム、合成樹脂などよりなる支持部材１０を介して器具としての照明器具Ｌが支持される。すなわち、前記吸盤Ｓの基端部分１の外周には環状の嵌込溝５が形成され、この嵌込溝５には、水槽Ｖの上縁に係合支持される支持部材１０の下端に開口した取付孔１１が着脱自在に嵌着されている。支持部材１０の上部には、フック１２が一体に形成され、このフック１２は、水槽Ｖの上縁に着脱可能に係合支持される。支持部材１０の外面に一体に突設した支持片１３には、照明器具Ｌに接続されるフレキシブルチューブ１６の自由端が固定支持されている。このフレキシブルチューブ１６内には、照明器具Ｌの照明灯１７に接続される電気コード１８が挿通されている。
【００２４】
なお、符号１９は照明器具Ｌのオン・オフ用スイッチである。
【００２５】
つぎに、前記吸盤Ｓおよび防水性保持具Ｈを用いて照明器具Ｌを水槽Ｖの側壁Ｖｗに固定する手順について説明すると、図４に示すように、照明器具Ｌを取り付けた支持部材１０のフック１２を水槽Ｖの上縁に係合支持させたのち、吸盤Ｓの吸着部分２を水槽Ｖの側壁Ｖｗに押圧して、吸盤Ｓを側壁Ｖｗの外面に吸着させる。一方、水槽Ｖ内に進入させた防水性保持具Ｈを、吸盤Ｓに対向させると、吸盤Ｓに設けた永久磁石Ｍに、保持具Ｈに設けた磁性部材８が一体に吸着結合され、これにより、照明器具Ｌは、吸盤Ｓの吸着力と、永久磁石Ｍ８の磁力とにより強固に固定され、吸盤Ｓが側壁から擦れたり、脱落したりすることがない。また、防水性保持具Ｈは、水中に浮くのでその取り扱いが容易である。
【００２６】
以上により、器具である照明器具Ｌは、水槽Ｖの側壁Ｖｗの任意の位置に堅固に固定することができ、しかも、この固定状態は、長期にわたり変わることがない。さらに、この固定により水槽Ｖの側壁Ｖｗが傷つくことがない。
【００２７】
また、前記離脱用突起４を摘んで吸着部分２の外周縁を外方に引っ張れば、吸盤Ｓの吸着力が解除され、吸盤Ｓは水槽Ｖの側壁Ｖｗから離脱されるので、照明器具Ｌの固定支持を解除することができる。
【００２８】
つぎに、図６を参照して、本発明の第２実施例について説明する。
【００２９】
図６は、器具としての冷却ファンを水槽Ｖに固定した状態の斜視図であり、図中、前記第１実施例と同じ要素には、同じ符号が付されている。
【００３０】
図６において、支持部材１０の上部は、水槽Ｖの上面よりも上方に突出しており、この支持部材１０の上端には、水槽Ｖの上面に向かって上向きに傾斜する冷却ファンＦ１が固定され、この冷却ファンＦ１からの冷却風は、水槽Ｖ内に向けられており、水槽Ｖ内の貯留水などを冷却することができる。
【００３１】
以上、本発明の実施例について説明したが、本発明はその実施例に限定されることなく、本発明の範囲内で種々の実施例が可能である。
【００３２】
たとえば、前記実施例では、器具として照明器具Ｌおよび冷却ファンＦ１を用いた場合を説明したが、これらに代えて濾過器、保温器などの他の器具を用いてもよいことは勿論である。
【図面の簡単な説明】
【００３３】
【図１】本発明器具の水槽への固定装置の斜視図（第１実施例）
【図２】図１の２−２線に沿う断面図
【図３】図２の３矢視拡大図
【図４】図２の４矢視仮想線囲い部分の拡大図
【図５】固定装置を分離した状態の図４と同じ図
【図６】器具としての冷却ファンを水槽に固定した状態の斜視図（第２実施例）
【符号の説明】
【００３４】
１・・・・・・・基端部分（吸盤Ｓ）
２・・・・・・・吸着部分（吸盤Ｓ）
３・・・・・・・吸着面（吸盤Ｓ）
４・・・・・・・突起（吸盤Ｓ）
８・・・・・・・磁性部材
１０・・・・・・支持部材
１３・・・・・・支持片
ａ・・・・・・・空気室
Ｓ・・・・・・・吸盤
Ｈ・・・・・・・防水性保持具
Ｍ・・・・・・・永久磁石
Ｖ・・・・・・・水槽
Ｖｗ・・・・・・側壁（水槽Ｖ）
Ｌ・・・・・・・器具（照明器具）
Ｆ１・・・・・・器具（冷却ファン）  
【図１】
0004616130.tif 000002
【図２】
0004616130.tif 000003
【図３】
0004616130.tif 000004
【図４】
0004616130.tif 000005
【図５】
0004616130.tif 000006
【図６】
0004616130.tif 000007